(57)【要約】移動端末１０と、移動端末１０と通信を行う基地局無線装置２０ａ，２０ｂと、基地局無線装置２０ａ，２０ｂにおける送信電力を制御する無線基地局制御装置３０とを少なくとも有し、基地局無線装置２０ａ，２０ｂがカバーするセル間におけるハンドオーバー機能の試験を行う場合に、無線基地局制御装置３０において、移動端末１０におけるハンドオーバー試験の対象となるセルをカバーする基地局無線装置２０ａ，２０ｂからの受信電界レベルの差分を算出し、差分が予め決められたしきい値以下となるように基地局無線装置２０ａ，２０ｂにおける送信電力を制御し、受信電界レベルの差分がしきい値以下となる基地局無線装置２０ａ，２０ｂがカバーするセル間におけるハンドオーバー機能の試験を行う。
2004093349.tif 000002
【特許請求の範囲】
【請求項１】
移動端末と、該移動端末と通信を行う基地局無線装置と、該基地局無線装置における送信電力を制御する無線基地局制御装置とを少なくとも有してなる移動通信システムにて前記基地局無線装置がカバーするセル間におけるハンドオーバー機能の試験を行うハンドオーバー試験方法であって、
前記移動端末における前記ハンドオーバー試験の対象となるセルをカバーする基地局無線装置からの受信電界レベルの差分を算出するステップと、
前記差分が予め決められたしきい値以下となるように前記基地局無線装置における送信電力を制御するステップと、
前記受信電界レベルの差分が前記しきい値以下となる基地局無線装置がカバーするセル間におけるハンドオーバー機能の試験を行うステップ
を有することを特徴とするハンドオーバー機能試験方法。
【請求項２】
前記送信電力を制御するステップにおいて、
前記差分が予め決められたしきい値以下となるように、前記差分が算出された基地局無線装置のうち、前記受信電界レベルが大きな基地局無線装置における送信電力を制御することを特徴とする請求項１に記載のハンドオーバー機能試験方法。
【請求項３】
前記移動端末における受信電界レベルを測定する処理ステップと、
前記測定された受信電界レベルを前記無線基地局制御装置に報告する処理ステップと、
報告された受信電界レベルの差分を算出する処理ステップと、
算出された受信電界レベルの差分と前記しきい値とを比較する処理ステップと、
前記差分が前記しきい値を超える場合、前記差分が予め決められたしきい値以下となるように前記基地局無線装置における送信電力を制御するための調整値を算出する処理ステップと、
算出された調整値を用いて、前記基地局無線装置における送信電力を制御する処理ステップとを
有することを特徴とする請求項１または請求項２に記載のハンドオーバー機能試験方法。
【請求項４】
移動端末と、該移動端末と通信を行う基地局無線装置と、該基地局無線装置における送信電力を制御する無線基地局制御装置とを少なくとも有し、前記基地局無線装置がカバーするセル間におけるハンドオーバー機能の試験を行うスペクトラム拡散移動通信システムであって、
前記無線基地局制御装置は、
前記移動端末における前記ハンドオーバー試験の対象となるセルをカバーする基地局無線装置からの受信電界レベルの差分を算出し、
前記差分が予め決められたしきい値以下となるように前記基地局無線装置における送信電力を制御し、
前記受信電界レベルの差分が前記しきい値以下となる基地局無線装置がカバーするセル間におけるハンドオーバー機能の試験を行う
ことを特徴とするスペクトラム拡散移動通信システム。
【請求項５】
前記無線基地局制御装置は、前記差分が予め決められたしきい値以下となるように、前記差分が算出された基地局無線装置のうち、前記受信電界レベルが大きな基地局無線装置における送信電力を制御することを特徴とする請求項４に記載のスペクトラム拡散移動通信システム。
【請求項６】
前記無線基地局制御装置は、
前記移動端末における受信電界レベルを認識する受信電界レベル認識手段と、
前記受信電界レベル認識手段にて認識された受信電界レベルの差分を算出する受信電界レベル差算出手段と、
前記受信電界レベル差算出手段にて算出された受信電界レベルの差分と前記しきい値とを比較する受信電界レベル差比較手段と、
前記受信電界レベル差比較手段における比較の結果、前記差分が前記しきい値を超える場合、前記差分が予め決められたしきい値以下となるように前記基地局無線装置における送信電力を制御するための調整値を算出する調整値算出手段と、
前記調整値算出手段にて算出された調整値を用いて、前記基地局無線装置における送信電力を制御するための送信電力制御値を算出する送信電力制御値算出手段と、
前記送信電力制御値算出手段にて算出された送信電力制御値に基づいて、前記基地局無線装置の送信電力を制御する送信電力制御手段とを
有することを特徴とする請求項４または請求項５に記載のスペクトラム拡散移動通信システム。
【発明の詳細な説明】
【技術分野】  本発明は、スペクトラム拡散移動通信システムにおけるハンドオーバー機能試験方法及びスペクトラム拡散移動通信システムに関する。
【背景技術】  スペクトラム拡散移動通信システムにおいて、２つのセル間におけるソフト・ソフターハンドオーバー機能試験を実行する場合、それら２つのセルをそれぞれカバーする２つの基地局無線装置からの送信波を受信することができ、かつ、ソフト・ソフターハンドオーバー可能な電界環境にある場所を探す必要がある。
しかし、要求されるセル間のソフト・ソフターハンドオーバーエリアを実フィールドで探すことは、電波環境が予測できないことから困難である。
また、電波環境を測定できる測定器をソフト・ソフターハンドオーバー試験に使用し、電波環境を探しながら、試験を実行することも考えられるが、その場合、電波環境を測定するための測定器が必要であり、かつ、電波環境を探すために時間を要するという欠点があった。
そこで、例えば、ＣＤＭＡ方式における基地局試験装置において、試験を実施する基地局試験装置の移動端末機と基地局の複数のセクタ対応送受信機との間における、最も良い呼接続状態になる結合度と、呼接続開始可能状態になる結合度と、呼切断状態になる三段階の結合度とを制御することによって任意のセクタ間のソフターハンドオーバー状態を再現し、それにより、ソフターハンドオーバー機能試験を実行可能とした試験装置が考えられている（例えば、特開２００２−２５２５８８号公報参照。）。
しかしながら、上述したような試験装置を用いてハンドオーバー機能試験を実行する場合、その試験装置が必要となるとともに、試験を実施する基地局試験装置の移動端末機と基地局の複数のセクタ対応送受信機との間における、最も良い呼接続状態になる結合度と、呼接続開始可能状態になる結合度と、呼切断状態になる三段階の結合度とを制御する必要があることにより制御が煩雑となってしまうという問題点がある。
【発明の開示】
本発明は、上述したような従来の技術が有する問題点に鑑みてなされたものであって、フィールドでのソフト・ソフターハンドオーバー機能試験を、容易に、かつ短時間で実行することができるハンドオーバー機能試験方法及びスペクトラム拡散移動通信システムを提供することを目的とする。
上記目的を達成するために本発明は、
移動端末と、該移動端末と通信を行う基地局無線装置と、該基地局無線装置における送信電力を制御する無線基地局制御装置とを少なくとも有してなる移動通信システムにて前記基地局無線装置がカバーするセル間におけるハンドオーバー機能の試験を行うハンドオーバー試験方法であって、
前記移動端末における前記ハンドオーバー試験の対象となるセルをカバーする基地局無線装置からの受信電界レベルの差分を算出し、前記差分が予め決められたしきい値以下となるように前記基地局無線装置における送信電力を制御し、前記受信電界レベルの差分が前記しきい値以下となる基地局無線装置がカバーするセル間におけるハンドオーバー機能の試験を行うことを特徴とする。
また、前記差分が予め決められたしきい値以下となるように、前記差分が算出された基地局無線装置のうち、前記受信電界レベルが大きな基地局無線装置における送信電力を制御することを特徴とする。
また、前記移動端末における受信電界レベルを測定する処理と、
前記測定された受信電界レベルを前記無線基地局制御装置に報告する処理と、
報告された受信電界レベルの差分を算出する処理と、
算出された受信電界レベルの差分と前記しきい値とを比較する処理と、
前記差分が前記しきい値を超える場合、前記差分が予め決められたしきい値以下となるように前記基地局無線装置における送信電力を制御するための調整値を算出する処理と、
算出された調整値を用いて、前記基地局無線装置における送信電力を制御する処理とを有することを特徴とする。
また、移動端末と、該移動端末と通信を行う基地局無線装置と、該基地局無線装置における送信電力を制御する無線基地局制御装置とを少なくとも有し、前記基地局無線装置がカバーするセル間におけるハンドオーバー機能の試験を行うスペクトラム拡散移動通信システムであって、
前記無線基地局制御装置は、前記移動端末における前記ハンドオーバー試験の対象となるセルをカバーする基地局無線装置からの受信電界レベルの差分を算出し、前記差分が予め決められたしきい値以下となるように前記基地局無線装置における送信電力を制御し、前記受信電界レベルの差分が前記しきい値以下となる基地局無線装置がカバーするセル間におけるハンドオーバー機能の試験を行うことを特徴とする。
また、前記無線基地局制御装置は、前記差分が予め決められたしきい値以下となるように、前記差分が算出された基地局無線装置のうち、前記受信電界レベルが大きな基地局無線装置における送信電力を制御することを特徴とする。
また、前記無線基地局制御装置は、
前記移動端末における受信電界レベルを認識する受信電界レベル認識手段と、
前記受信電界レベル認識手段にて認識された受信電界レベルの差分を算出する受信電界レベル差算出手段と、
前記受信電界レベル差算出手段にて算出された受信電界レベルの差分と前記しきい値とを比較する受信電界レベル差比較手段と、
前記受信電界レベル差比較手段における比較の結果、前記差分が前記しきい値を超える場合、前記差分が予め決められたしきい値以下となるように前記基地局無線装置における送信電力を制御するための調整値を算出する調整値算出手段と、
前記調整値算出手段にて算出された調整値を用いて、前記基地局無線装置における送信電力を制御するための送信電力制御値を算出する送信電力制御値算出手段と、
前記送信電力制御値算出手段にて算出された送信電力制御値に基づいて、前記基地局無線装置の送信電力を制御する送信電力制御手段とを有することを特徴とする。
【図面の簡単な説明】  図１は、本発明のハンドオーバー機能試験方法を実現可能なスペクトラム拡散移動通信システムの実施の一形態を示す図である。
図２は、図１に示したスペクトラム拡散移動通信システムにおけるハンドオーバー機能試験方法を説明するためのフローチャートである。
【発明を実施するための最良の形態】  以下に、本発明の実施の形態について図面を参照して説明する。
図１は、本発明のハンドオーバー機能試験方法を実現可能なスペクトラム拡散移動通信システムの実施の一形態を示す図である。
本形態に係るスペクトラム拡散移動通信システムは、図１に示すように、携帯端末や自動車電話等といった移動端末１０と、移動端末１０に対して通信可能なセルをカバーし、このセル内にて移動端末１０と通信を行う基地局無線装置２０ａ，２０ｂと、基地局無線装置２０ａ，２０ｂの動作を制御するとともに、ソフト・ソフターハンドオーバー機能試験モードを具備し、通常のサービス時あるいは、通常のサービス中の基地局無線基地局２０ａ，２０ｂに対しては、そのモード設定機能が実行できない仕組みを有する無線基地局制御装置３０とから構成されている。
なお、移動端末１０については、１つしか図示していないが、実際には複数の移動端末が存在することになる。また、基地局無線装置２０ａ，２０ｂにおいても、２つしか図示していないが、実際には複数の基地局無線装置が無線基地局制御装置３０に接続されている。
また、移動端末１０には、基地局無線装置２０ａ，２０ｂとの間にて信号の送受信を行うための送受信部１１と、基地局無線装置２０，２０ｂから送信された信号のセル毎の受信電力を測定し、測定結果を基地局無線装置２０ａ，２０ｂを介して無線基地局制御装置３０に報告する受信電力測定部１２と、ソフト・ソフターハンドオーバー状態にあるセル番号を表示する表示部１３とが設けられている。
また、基地局無線装置２０ａ，２０ｂには、移動端末１０との信号の送受信を行う送受信部２１ａ，２１ｂと、無線基地局制御装置３０における制御に従って送受信部２１ａ，２１ｂにおける送信電力を制御する送信電力制御部２２ａ，２ｂとが設けられている。
また、無線基地局制御装置３０には、ソフト・ソフターハンドオーバー機能試験モードに設定された場合に、フィールドにてソフト・ソフターハンドオーバーの試験を実行するセル番号を認識するセル番号認識部３１と、移動端末１０から報告された移動端末１０におけるセル毎の受信電界レベルを認識する受信電界レベル認識部３２と、受信電界レベル認識部３２にて認識された移動端末１０におけるセル毎の受信電界レベルの差を算出する受信電界レベル差算出部３３と、受信電界レベル差算出部３３にて算出された受信電界レベルの差と予め決められたしきい値とを比較する受信電界レベル差比較部３４と、受信電界レベル差比較部３４における比較結果に基づいて、受信電界レベル差算出部３３にて算出された受信電界レベルの差が予め決められたしきい値よりも大きな場合に、受信電界レベル差算出部３３にて算出された受信電界レベルの差が予め決められたしきい値以下となるような調整値を算出する調整値算出部３５と、調整値算出部３５にて算出された調整値を用いて、基地局無線装置２０ａ，２０ｂにおける送信電力を制御するための送信電力制御値を算出する送信電力算出部３６と、送信電力算出部３６にて算出された送信電力制御値に基づいて基地局無線装置２０ａ，２０ｂにおける送信電力を制御する送信電力制御部３７とが設けられている。
以下に、上記のように構成されたスペクトラム拡散移動通信システムにおけるハンドオーバー機能試験方法について説明する。
図２は、図１に示したスペクトラム拡散移動通信システムにおけるハンドオーバー機能試験方法を説明するためのフローチャートである。
まず、無線基地局制御装置３０に対して、フィールドにてソフト・ソフターハンドオーバー機能試験の実行対象となるセル番号が入力されると、無線基地局制御装置３０のセル番号認識部３１において、フィールドにてソフト・ソフターハンドオーバー機能試験の実行対象となるセル番号が認識される（ステップＳ１）。なお、本形態においては、基地局無線装置２０ａ，２０ｂによってカバーされるセルのセル番号が入力、認識されることとする。
また、移動端末１０において、基地局無線装置２０ａ，２０ｂから送信された信号が受信されると、移動端末１０の受信電力測定部１２において、基地局無線装置２０ａ，２０ｂから送信された信号毎の移動端末１０における初期受信電力が測定され（ステップＳ２）、測定された初期受信電力が基地局無線装置２０ａ，２０ｂを介して無線基地局制御装置３０に報告される（ステップＳ３）。ここで、基地局無線装置２０ａ，２０ｂからの送信電力をそれぞれＰ（Ａ０），Ｐ（Ｂ０）とし、また、基地局無線装置２０ａ，２０ｂから送信された信号の移動端末１０における初期受信電力をそれぞれＬ（Ａ０），Ｌ（Ｂ０）とする。基地局無線装置２０ａ，２０ｂから移動端末１０への伝搬ロスがそれぞれ異なるため、基地局無線装置２０ａからの送信電力Ｐ（Ａ０）と、基地局無線装置２０ｂからの送信電力Ｐ（Ｂ０）が互いに同一であっても、基地局無線装置２０ａから送信された信号の移動端末１０における初期受信電力Ｌ（Ａ０）と、基地局無線装置２０ｂから送信された信号の移動端末１０における初期受信電力Ｌ（Ｂ０）とは同一では無い。
無線基地局制御装置３０においては、受信電界レベル認識部３２において、移動端末１０から報告された初期受信電界レベルのうち、ステップＳ１にて認識されたセル番号、すなわち、基地局無線装置２０ａ，２０ｂにてカバーされるセルのセル番号の初期受信電界レベルＬ（Ａ０），Ｌ（Ｂ０）が認識される（ステップＳ４）。
次に、無線基地局制御装置３０の受信電界レベル差算出部３３において、ステップＳ４にて認識された初期受信電界レベルＬ（Ａ０），Ｌ（Ｂ０）の差が算出される（ステップＳ５）。なお、本形態においては、初期受信電界レベルＬ（Ａ０），Ｌ（Ｂ０）の大小関係を、Ｌ（Ａ０）＞Ｌ（Ｂ０）とする。無線基地局制御装置３０においては、移動端末１０における初期受信電界レベルが最も高い、初期受信電界レベルＬ（Ａ０）を供給する基地局無線装置２０ａが、端末装置１０と通信する回線として選択される。
次に、無線基地局制御装置３０の受信電界レベル差比較部３４において、ステップＳ５にて算出された初期受信電界レベルＬ（Ａ０），Ｌ（Ｂ０）の差と予め受信電界レベル差比較部３４に設定されているしきい値Ｔとが比較され（ステップＳ６）、Ｌ（Ａ０）−Ｌ（Ｂ０）≦Ｔである場合、初期受信電界レベルＬ（Ｂ０）を供給する基地局無線装置２０ｂも端末装置１０と通信をする回線として選択される。
また、ステップＳ５にて算出された初期受信電界レベルＬ（Ａ０）とＬ（Ｂ０）の差と、しきい値Ｔとが比較された結果、Ｌ（Ａ０）−Ｌ（Ｂ０）＞Ｔである場合は、無線基地局制御装置３０において、初期受信電界レベルＬ（Ｂ０）を供給する基地局無線装置２０ｂが端末装置１０と通信をする回線として選択されない。つまり、基地局無線装置２０ａ，２０ｂがカバーするセルにおけるソフトハンドオーバー機能をフィールドで試験するためには、Ｌ（Ａ０）−Ｌ（Ｂ０）≦Ｔとする必要がある。
そこで、無線基地局制御装置３０の調整値算出部３５において、Ｌ（Ａ０）−Ｌ（Ｂ０）−ΔＬ≦Ｔとなる、調整値ΔＬの値が算出される（ステップＳ７）。
次に、無線基地局制御装置３０の送信電力制御値算出部３６において、基地局無線装置２０ａにおける送信電力が、Ｐ（Ａ０）から調整値ΔＬだけ低い値になるような送信電力制御値が算出される（ステップＳ８）。
その後、基地局無線装置２０ａにおいては、無線基地局制御装置３０の送信電力制御部３７における送信電力制御値に基づく制御によって、送信電力が、Ｐ（Ａ０）−ΔＬとなるＰ（Ａ１）に設定される（ステップＳ９）。それにより、端末装置１０にて受信される基地局無線装置２０ａ，２０ｂからの受信電界レベルはＬ（Ａ１），Ｌ（Ｂ０）となる。
端末装置１０からは、ソフト・ソフターハンドオーバー機能試験を実行したいセルの受信電力としてＬ（Ａ１），Ｌ（Ｂ０）が基地局無線装置２０ａ，２０ｂを介して無線基地局制御装置３０に報告される。無線基地局制御装置３０において、基地局無線装置２０ｂが、端末装置１０と通信を行う回線として選択される。結果的に、ソフト・ソフターハンドオーバー状態に設定することができなかった基地局無線装置２０ｂが、ソフト・ソフターハンドオーバー状態に自動的に設定される。
本形態においては、ソフト・ソフターハンドオーバーを実行するしきい値として、端末装置１０にて受信される受信電界レベルが使用された。尚、しきい値として、Ｅｂ／ＮＯを使用してもよい。その場合、無線基地局装置２０ａ，２０ｂそれぞれの送信波の受信Ｅｂ／ＮＯが、端末装置１０から無線基地局装置２０ａ，２０ｂを介して無線基地局制御装置３０に報告される。ソフト・ソフターハンドオーバー可能な受信Ｅｂ／ＮＯが端末装置１０にて得られるよう基地局無線装置２０ａ，２０ｂの送信電力を制御する機能を無線基地局制御装置３０及び無線基地局装置２０ａ，２０ｂに設けることによって、ソフト・ソフターハンドオーバー試験をフィールドにて容易に実行することができる。
以上説明したように本発明においては、移動端末と、該移動端末と通信を行う基地局無線装置と、該基地局無線装置における送信電力を制御する無線基地局制御装置とを少なくとも有してなる移動通信システムにおいて、移動端末におけるハンドオーバー試験の対象となるセルをカバーする基地局無線装置からの受信電界レベルの差分を算出し、算出された差分が予め決められたしきい値以下となるように基地局無線装置における送信電力を制御し、受信電界レベルの差分がしきい値以下となる基地局無線装置がカバーするセル間におけるハンドオーバー機能の試験を行う構成とした。このため、フィールドでのソフト・ソフターハンドオーバー機能の試験に特殊な測定器を用いることなく、フィールドでのソフト・ソフターハンドオーバー機能試験を、容易に、かつ短時間で実行することができる。
【図１】
2004093349.tif 000003
【図２】
2004093349.tif 000004
【国際調査報告】
2004093349.tif 000005
2004093349.tif 000006
2004093349.tif 000007
2004093349.tif 000008